【事件の表示】
　特許第２９９６２４９号「照明装置」の請求項１ないし５に係る特許に対する特許異議の申立てについて、次のとおり決定する。
【結　論】
　訂正を認める。
　特許第２９９６２４９号の請求項１ないし５に係る特許を維持する。
【理　由】
〔１〕手続の経緯
　特許第2996249号の請求項１〜５に係る発明は、平成７年３月24日に出願した特願平7-91427号の一部を平成11年３月１日に新たな特許出願としたものであって、平成11年10月29日にその特許権の設定登録がされ、その後、吉田義男より特許異議の申立てがされ、取消理由通知がされ、その指定期間内である平成12年12月18日に訂正請求がされたものである。
　
〔２〕訂正の適否についての判断
(1)訂正の内容
　ア.訂正事項ａ
　特許請求の範囲の請求項１の記載について、「上記壁面を背にしたグローブの側部の下部側が、」とあるのを、「上記壁面を背にした上記グローブの円筒状の本体部における前端面側と後端面側との間の筒状部の下部側が、」と訂正する。
　イ.訂正事項ｂ
　特許請求の範囲の請求項２の記載について、「前記グローブの側部の下部側に、」とあるのを、「前記グローブの筒状部の下部側に、」と訂正する。
　ウ.訂正事項ｃ
　明細書の段落【0005】の記載について、「壁面を背にしたグローブの側部の下部側が、」とあるのを、「壁面を背にしたグローブの円筒状の本体部における前端面側と後端面側との間の筒状部の下部側が、」と訂正する。」
　エ.訂正事項ｄ
　明細書の段落【0006】の記載について、「グローブの側部の下部側に、」とあるのを、「グローブの筒状部の下部側に、」と訂正する。
　オ.訂正事項ｅ
　明細書の段落【0027】の記載について、「波形レンズ部13c」とあるのを、「波形レンズ部13d」と訂正する。　　
　
(2)訂正の目的の適否、新規事項の有無及び拡張・変更の存否
　上記訂正事項ａは、発明を特定する事項である「上記壁面を背にした上記グローブの側部の下部側が、」とあるのを、「上記壁面を背にした上記グローブの円筒状の本体部における前端面側と後端面側との間の筒状部の下部側が、」と訂正し、しかも、「上記壁面を背にした上記グローブの円筒状の本体部における前端面側と後端面側との間の筒状部の下部側が、」とあるのは、願書に添付された明細書の段落【0026】の「このグローブ13は、筒状部13aの前端面側が大径の球面部13bとなった円筒状の本体部13Aと、本体部13Aの後端面側に形成された小円筒状の接続部13Bとから構成されており、接続部13Bの外周面側に形成されたネジ部13cを台座10のねじ部10aにねじ込むことにより、台座10に取り付けられている。」という記載、及び段落【0028】の「ここで、グローブ13は、本体部13Aの球面部13bが、光を充分に拡散させるために乳白色状に形成され、本体部13Aの筒状部13aが、光の透過度を上げるために透明に形成されている。ただし、筒状部13aを透過した拡散度の低い光が直接入浴者の目に入ってまぶしさを生じさせないように、筒状部13aには、下部13a-1（図２参照）を除いて、表面にシボ処理（表面に小凹凸が生じる処理）が施されており、これによって、筒状部13aを透過した光がやや拡散するようになっている。」という記載、及び図１から記載されているものと認められる。
　したがって、上記訂正事項ａは、特許請求の範囲の減縮を目的とした明細書の訂正に該当し、新規事項の追加に該当しない。
　上記訂正事項ｂは、発明を特定する事項である「前記グローブの側部の下部側に、」とあるのを、「前記グローブの筒状部の下部側に、」と訂正し、しかも、「前記グローブの筒状部の下部側に、」とすることは、上記段落【0026】、上記段落【0028】、及び図１に記載されているから、特許請求の範囲の減縮を目的とした明細書の訂正に該当し、新規事項の追加に該当しない。
　上記訂正事項ｃ、ｄは、それぞれ上記訂正事項ａ、ｂと整合を図るものであるから、明りょうでない記載の釈明を目的とした訂正に該当し、新規事項の追加に該当しない。
　上記訂正事項ｅは、誤記の訂正を目的とした明細書の訂正に該当し、新規事項の追加に該当しない。
　また、上記訂正事項ａ〜ｅは、課題を変更しないで訂正するものであるから、実質的に特許請求の範囲を拡張又は変更するものではない。
　
(3)むすび
　したがって、上記訂正は、特許法第120条の４第２項及び同条第３項で準用する同法第126条第２項及び第３項の規定に適合するので、当該訂正を認める。
　
〔３〕特許異議の申立てについての判断
(1)申立ての理由の概要
　申立人吉田義男は、本件請求項１〜３に係る発明は、甲第１号証に記載された発明であり、特許法第29条第１項第３号の規定により特許を受けることができないものであり、仮に、本件請求項２、３に係る発明が甲第１号証に記載された発明でないとしても、甲第１〜６号証に記載されたものに基づいて当業者が容易に発明をすることができたものであって、特許法第29条第２項の規定により特許を受けることができないものであり、さらに、本件請求項４、５に係る発明は、特許発明の記載が不明瞭であるから、特許法第36条第４項、第６項の要件を満たしていないから、特許を受けることができない、と主張している。
　
(2)本件請求項１〜５に係る発明
　上記〔２〕で示したように上記訂正が認められるから、本件請求項１〜５に係る発明（以下「本件発明１」、…「本件発明５」という。）は、上記訂正請求書に添付された訂正明細書の特許請求の範囲１〜５に記載された次の事項により特定されるとおりのものである。
「【請求項１】浴室内の天井に近い壁面に設置され、光源が水蒸気の影響を受けないようにグローブにより連続して覆われている照明装置において、上記グローブは一体型で透光性を有しており、かつ、上記壁面を背にした上記グローブの円筒状の本体部における前端面側と後端面側との間の筒状部の下部側が、このグローブの他の部分より光の透過率が高くなるように形成されていることを特徴とする照明装置。
【請求項２】前記光源から前記壁面に略平行な平面方向に発せられた光をこの壁面の前方の特定方向に向かって屈曲させるために、前記グローブの筒状部の下部側に、入射光に平行な面とこの面をつなぐ斜面とからなる鋸歯状形状の局所屈折部が形成されていることを特徴とする請求項１記載の照明装置。
【請求項３】前記局所屈折部の前記鋸歯状形状が、前記グローブの内面側に形成されていることを特徴とする請求項２記載の照明装置。
【請求項４】浴室内の天井に近い壁面に設置され、光源が水蒸気の影響を受けないようにグローブにより連続して覆われている照明装置において、上記光源から上記壁面に略平行な平面方向に発せられた光をこの壁面の前方の特定方向に向かって屈折させるために、上記壁面を背にした上記グローブの側部全周に、入射光に平行な面とこの面をつなぐ斜面とからなる鋸歯状形状の全面屈折部が形成されていることを特徴とする照明装置。
【請求項５】前記屈折部の前記鋸歯状形状が、前記光源に面する前記グローブの内面側に形成されていることを特徴とする請求項４記載の照明装置。」
　
(3)甲第１〜６号証に記載された発明
　特許異議申立人が証拠として提示した甲第１号証（「住宅照明器具　総合カタログ　’91/12」、三洋電機（株）、第362頁及び第366頁）には、写真とともに次の事項が記載されている。
　ア.「防雨・防湿型、照明器具には水は大敵。直接、水滴のかかる浴室はもちろん、湿気の多い水まわりには、必ず『防雨』『防湿』型のあかりをお選びください。」（第362頁第１〜４行）
  イ.「ＬＢ−Ｐ1103、標準価格9,980円（税別）、クリア電球（60W×1）、高215・出幅120・重1.2Kg、本体：鋼板（塗装仕上・黒色）、グローブ：ガラス（消し加工・一部透明カット模様）、速結式、防雨・防湿型」（第366頁中欄上から３番目）と記載されるとともに、上下に半円筒形で側部が消し加工を施してあり、かつ、下部が傾斜した半円筒断面の透明カット模様であるグローブを有する照明器具の写真が添付されている。
　ウ.「これはＬＢ−Ｐ1103の実例写真です。」（第366頁右欄上から１番目）と記載されるとともに、浴室内の天井に近い壁面に設置された照明器具の写真が添付されている。
　エ.「このカタログは、1991年12月現在のものです。」（最終頁）
　
　甲第２号証（実公昭50-6704号公報）には、けい光ランプスタンドに関して第１〜４図とともに以下の事項が記載されている。
　オ.「この反射笠４の材料は乳白色半透明の樹脂に限らず不透明の材料から形成してもよい。」（第２欄第18〜19行）
　カ.「集光部Aはカバー６の上面、すなわちランプ５側の表面に上記ランプ５の長手方向に沿って並列にかつ断面三角形状に刻設された第１のプリズム14…と、カバー６の下面に上記第１のプリズム14、…と同様に刻設された第２のプリズム15、…とからな」（第３欄第14〜19行）る点。
　キ.「第２のプリズム15の斜面は上記第１のプリズム14によってカバー６の肉厚内を進んできた光を屈折して前記スタンドの前方へ向けて透過するようにその傾斜角度が定められ、しかもこれら各第２のプリズム15、…から屈折して透過する光は第３図で示すように平行に進行してスタンド前方の作業面を照明するようになっている。」（第３欄第26〜32行）
　
　甲第３号証（実願昭55-28947号（実開昭56-131610号）のマイクロフィルム）には、直管形蛍光灯器具に関して、第１〜８図とともに以下の事項が記載されている。
　ク.「合成樹脂による一体製の筒状外皮を利用した直管形蛍光灯器具に関するものである。…１は合成樹脂によって一体に成形した筒状外皮である。それを輪切りにした断面は各部均一である。このため、引出し成形法が利用できる。また、輪切りにした断面の上半分に相当する部分12の透光度を下げ、下半分に相当する部分13の透光度を高めてある。」（明細書第１頁第17行〜第２頁第５行）　ケ.「14は部分13の内側に刻んだ断面山形のプリズムである。」（明細書第２頁第10〜11行）
　
　甲第４号証（特開昭60-207206号公報）には、照明器具に関して、第１〜４図とともに以下の事項が記載されている。
　コ.「制光カバー４の内面に内側プリズム10を形成した」（第３頁左上欄第11〜12行）こと。
　
　甲第５号証（実公昭37-8071号公報）には、二方向配光型照明灯に関して、第１〜４図とともに以下の事項が記載されている。
　サ.「グローブ４はプリズムグローブにして水平面上θ、鉛直面上φの方向に最高光度が得られるようにプリズムを形成する。」（第１頁左欄第12
〜15行）
　
　甲第６号証（実願昭54-20498号（実開昭55-120012号）のマイクロフィルム）には、照明器具に関して、第１〜３図とともに以下の事項が記載されている。
　シ.「この反射鏡５の下面開放部を覆って外方へ突に彎曲したガラスのパネル６が枠７によって取り付けられた埋込照明器具である。」（明細書第２頁第10〜12行）
　ス.「一方パネル６はランプ４を中心とする球の一部をなす形状で内面には頂点12を中心とする同心円状の凹凸プリズム13が形成されている。」（明細書第20行〜第３頁第３行）
　
(4)対比・判断
（特許法第29条第１項第３号について）
　本件発明１と甲第１号証に記載のものを対比すると、甲第１号証に記載のものは、「浴室内の天井に近い壁面に設置され、光源が水蒸気の影響を受けないようにグローブにより連続して覆われている照明装置において、上記グローブは一体型で透光性を有しており、かつ、下部側が、このグローブの他の部分より光の透過率が高くなるように形成されている」構成を具備しているが、本件発明１の必須構成である「壁面を背にした上記グローブの円筒状の本体部における前端面側と後端面側との間の筒状部の下部側が、このグローブの他の部分より光の透過率が高くなるように形成されている」構成を具備していない。
　その結果、甲第１号証に記載のものは、使用者が前方から照明器具をみると、ランプの下部の一部が直接見える構成となっている。
　したがって、本件発明１は、甲第１号証に記載された発明とはいえない。
　本件発明２、３は、本件発明１にさらに構成要件を付加して減縮したものであるから、同様の理由により、甲第１号証に記載された発明とはいえない。
　よって、本件発明１〜３は、特許法第29条第１項第３号の規定に該当する発明であるとはいえない。
　
（特許法第29条第２項について）
　次に、本件発明２と甲第１号証に記載のものを対比すると、両者は、「浴室内の天井に近い壁面に設置され、光源が水蒸気の影響を受けないようにグローブにより連続して覆われている照明装置において、上記グローブは一体型で透光性を有しており、かつ、下部側が、このグローブの他の部分より光の透過率が高くなるように形成されている」の点で一致しているが、以下の点で相違するものと認められる。
　イ.本件発明２は、「壁面を背にした上記グローブの円筒状の本体部における前端面側と後端面側との間の筒状部の下部側が、このグローブの他の部分より光の透過率が高くなるように形成されている」のに対して、甲第１号証に記載のものは、その構成を具備していない点。
　ロ.本件発明２は、「前記光源から前記壁面に略平行な平面方向に発せられた光をこの壁面の前方の特定方向に向かって屈曲させるために、前記グローブの筒状部の下部側に、入射光に平行な面とこの面をつなぐ斜面とからなる鋸歯状形状の局所屈折部が形成されている」のに対し、甲第１号証に記載のものは、透明カット模様が形成されている点。
　甲第１号証に記載のものには、本件発明１と上記相違点イがあるうえ、甲第２〜６号証記載のものも、「壁面を背にした上記グローブの円筒状の本体部における前端面側と後端面側との間の筒状部の下部側が、このグローブの他の部分より光の透過率が高くなるように形成されている」構成を具備しない。
　また、上記相違点ロにおいて、甲第１号証に記載されたグローブの下部側の構成は、単に透明カット模様であって、「入射光に平行な面とこの面をつなぐ斜面とからなる鋸歯状形状の局所屈折部が形成されている」かどうかはわからないこと、及び甲第２〜６号証に記載のものは、透光カバーにプリズムを設けたものが記載されているが、これらは、照明器具用のカバーであって、グローブに設けられたものではない。
　そのうえ、甲第２〜６号証に記載のものは、浴室という特定の用途の照明器具でないから、異議申立人が主張するように、甲第１号証に甲第２〜６号証を直ちに適用することによって、本件発明２が容易に想到できるものとは認められない。
　そして、本件発明２は、上記の構成を具備することにより、「まぶしさを生じさせることなく、グローブ下方に光を充分に照射でき、明るくしたい浴室の下部側を適切に照明できる。」ほか、「浴室の床側においても、より入浴者に近い側の照度アップを図ることができ、浴室内において適切な照明ができる。」という格別の作用効果を奏するものと認められる。
　したがって、本件発明２は、甲第１〜６号証に基づいて当業者が容易に発明をすることができたものとは認められないから、特許法第29条第２項に規定する発明とはいえない。
　本件発明３は、本件発明２にさらに構成要件を付加し減縮したものであるから、本件発明２が特許法第29条第２項に規定する発明でない以上、同項に規定する発明でない。
　
（特許法第36条について）
　本件発明４、５については、「グローブの側部全周に鋸歯状形状の全面屈曲部を形成するだけではグローブ側部全周から均一に光が照射されてしまい、どのように浴室内のより近い側の照度アップを図るのかが明確でない。」と特許異議申立人は主張する。
　しかしながら、「グローブ側部全周から均一に光が照射されてしま」っても、一部の光は照度アップに寄与するのは明らかであり、本件発明４、５は、構成自体明瞭であり、明細書も明瞭であるから、特許法第36条第４項及び第６項に規定する要件を具備しないものであるとはいえない。
　
(5)むすび
　以上のとおりであるから、特許異議申立ての理由及び証拠によっては、本件請求項１〜５に係る発明の特許を取り消すことはできない。
　また、他に本件請求項１〜５に係る発明の特許を取り消すべき理由を発見しない。
　よって、結論のとおり決定する。
【異議決定日】
平成１３年１月１６日（２００１．１．１６）
【訂正の要旨】
　ア．訂正事項ａ
　特許請求の範囲の請求項１の記載について、「上記壁面を背にしたグローブの側部の下部側が、」とあるのを、「上記壁面を背にした上記グローブの円筒状の本体部における前端面側と後端面側との間の筒状部の下部側が、」と訂正する。
　イ．訂正事項ｂ
　特許請求の範囲の請求項２の記載について、「前記グローグの側部の下部側に、」とあるのを、「前記グローブの筒状部の下部側に、」と訂正する。
　ウ．訂正事項ｃ
　明細書の段落【０００５】の記載について、「壁面を背にしたグローブの側部の下部側が、」とあるのを、「壁面も背にしたグローブの円筒状の本体部における前端面側と後端面側との間の筒状部の下部側が、」と訂正する。」
　エ．訂正事項ｄ
　明細書の段落【０００６】の記載について、「グローブの側部の下部側に、」とあるのを、「グローブの筒状部の下部側に、」と訂正する。
　オ．訂正事項ｅ
　明細書の段落【００２７】の記載について、「波形レンズ部１３ｃとあるのを、「波形レンズ部１３ｄ」と訂正する。
（５４）【発明の名称】
照明装置
（５７）【特許請求の範囲】
　　【請求項１】　浴室内の天井に近い壁面に設置され、光源が水蒸気の影響を受けないようにグローブにより連続して覆われている照明装置において、
　上記グローブは一体型で透光性を有しており、かつ、上記壁面を背にした上記グローブの
円筒状の本体部における前端面側と後端面側との間の筒状部
　　【請求項２】　前記光源から前記壁面に略平行な平面方向に発せられた光をこの壁面の前方の特定方向に向かって屈折させるために、前記グローブの
筒状部
　　【請求項３】　前記局所屈折部の前記鋸歯状形状が、前記グローブの内面側に形成されていることを特徴とする請求項２記載の照明装置。
　　【請求項４】　浴室内の天井に近い壁面に設置され、光源が水蒸気の影響を受けないようにグローブにより連続して覆われている照明装置において、
　上記光源から上記壁面に略平行な平面方向に発せられた光をこの壁面の前方の特定方向に向かって屈折させるために、上記壁面を背にした上記グローブの側部全周に、入射光に平行な面とこの面をつなぐ斜面とからなる鋸歯状形状の全面屈折部が形成されていることを特徴とする照明装置。
　　【請求項５】　前記屈折部の前記鋸歯状形状が、前記光源に面する前記グローブの内面側に形成されていることを特徴とする請求項４記載の照明装置。
【発明の詳細な説明】
　　　【０００１】
　　【産業上の利用分野】
　この発明は、浴室に取り付けられる照明装置に関するものである。
　　　【０００２】
　　【従来の技術】
　光源がグローブで覆われた従来の照明装置では、グローブ外方にほぼ均一に光が照射される。したがって、このような照明装置を、浴室の天井に近い壁に取り付けた場合、この照明装置によって、浴室の天井側にも床側にもほぼ等しく光が照射される。このため、この浴室においては、照明装置から遠い床側より、照明装置から近い天井側が、この照明装置によって明るく照らされてしまうという現象が生じる。
　　　【０００３】
　　【発明が解決しようとする課題】
　しかしながら、浴室においては、床近くに入浴者が居るため、天井側より床側を明るくしたほうが望ましい。したがって、上記従来の照明装置では、これが取り付けられた浴室内の照明が、必ずしも適切にはなされていないという問題があった。このため、このような照明装置を使用すると、必要な場所の照度を確保するために、不必要に光源の光度を大きくしたり、照明装置の数を増加しなければならないという問題があった。
　　　【０００４】
　この発明は、以上の点に鑑み、光源の光度アップ等をしなくても、浴室内において適切な照明ができる照明装置を提供することを目的とする。
　　　【０００５】
　　【課題を解決するための手段】
　この発明の請求項１記載の発明は、浴室内の天井に近い壁面に設置され、光源が水蒸気の影響を受けないようにグローブにより連続して覆われている照明装置において、グローブは一体型で透光性を有しており、かつ、壁面を背にしたグローブの
円筒状の本体部における前端面側と後端面側との間の筒状部
　　　【０００６】
　この発明の請求項２記載の発明は、請求項１記載の発明の場合において、光源から壁面に略平行な平面方向に発せられた光をこの壁面の前方の特定方向に向かって屈折させるために、グローブの
筒状部
　　　【０００７】
　この発明の請求項３記載の発明は、請求項２記載の発明の場合において、局所屈折部の鋸歯状形状が、グローブの内面側に形成されていることである。
　　　【０００８】
　この発明の請求項４記載の発明は、浴室内の天井に近い壁面に設置され、光源が水蒸気の影響を受けないようにグローブにより連続して覆われている照明装置において、光源から壁面に略平行な平面方向に発せられた光をこの壁面の前方の特定方向に向かって屈折させるために、壁面を背にしたグローブの側部全周に、入射光に平行な面とこの面をつなぐ斜面とからなる鋸歯状形状の全面屈折部が形成されていることである。
　　　【０００９】
　この発明の請求項５記載の発明は、請求項４記載の発明の場合において、屈折部の鋸歯状形状が、光源に面するグローブの内面側に形成されていることである。
　　　【００１０】
　　　【００１１】
　　　【００１２】
　　　【００１３】
　　【作用】
　この発明の請求項１記載の発明では、グローブの側部の下部側の光の透過度を他の部分より高くしているため、浴室の人のいる床側の照度アップを容易に図ることができる。
　　　【００１４】
　この発明の請求項２及び３記載の発明では、光源から浴室の壁面に沿うように下向きに照射された光は、壁面に沿って浴室の床側に照射されるのではなく、グローブの局部屈折部を透過して、壁面前方の特定方向に照射される。したがって、この発明により、浴室の床側においても、より入浴者に近い側の照度アップを図ることができ、浴室内の効果的な照明が可能となる。
　　　【００１５】
　この発明の請求項４及び５記載の発明では、光源から浴室の壁面に沿うように照射された光は、壁面に沿って照射されるのではなく、グローブの全周屈折部を透過して、壁面前方の特定方向に照射される。したがって、この発明により、浴室内のより入浴者に近い側の照度アップを図ることができ、浴室内の効果的な照明が可能となる。
　　　【００１６】
　　　【００１７】
　　　【００１８】
　　【実施例】
　以下、この発明の実施例を図面を参照しつつ説明する。
　図８はこの発明の一実施例に係る照明装置が取り付けられた浴室内方の外観斜視図である。
　　　【００１９】
　図８において、浴室Ｒの正面壁Ｗ１前方の床面上には、左側にバスタブＢが設置され、右側に洗い場Ｃが設けられている。そして、正面壁Ｗ１のバスタブＢよりやや上方には、バスタブＢへ温水を供給する混合水栓Ｓ１が取り付けられているとともに、正面壁Ｗ１の洗い場Ｃよりやや上方に設置された支持台Ｄには、その側面がわに、洗い場Ｃ用の混合水栓Ｓ２が取り付けられている。また、正面壁Ｗ１の天井Ｗ２に近い位置には、左右に所定間隔をおいて、この浴室Ｒ内を照らす一対の照明装置１が取り付けられている。
　　　【００２０】
　なお、Ｍは正面壁Ｗ１の支持台Ｄ上方に取り付けられた、化粧鏡Ｍ１付き小物台であり、Ｈは正面壁Ｗ１の上部側と下部側とに位置決めできるシャワーヘッドである。
　　　【００２１】
　図１は上記照明装置の側断面図、図２は図１のＡ−Ａ矢視断面図、図３はグローブの波形レンズ部の作用説明図である。
　照明装置１は、図１で示されるように、台座１０と、ソケット１１と、光源１２と、グローブ１３と、密閉パッキン１４と、グローブパッキン１５と、取付ネジ１６と、第１および第２の反射体である反射板１７とから構成されている。
　　　【００２２】
　台座１０は、図１で示されるように、円板状の基部１０Ａの外周部に、円筒状の支持部１０Ｂを有したものであり、基部１０Ａを浴室Ｒの正面壁Ｗ１に密着させた状態で、取付ネジ１６を介して、この正面壁Ｗ１に取り付けられている。また、この台座１０は、支持部１０Ｂの内面側に、グローブ１３取り付け用のねじ部１０ａが形成されているとともに、基部１０Ａの中心部にソケット１１取り付け用の開口１０ｂが形成されている。
　　　【００２３】
　ソケット１１は、図１で示されるように、円筒体の前端にフランジ部１１ａを有したもので、後部側が台座１０の開口１０ｂに差し込まれ、前端のフランジ部１１ａが台座１０の開口１０ｂ周りに係合した状態で、この台座１０に取り付けられている。したがって、ソケット１１は、後部側が正面壁Ｗ１の開口Ｗ１０を通って、建物の内壁面丁と浴室Ｒの正面壁Ｗ１間の隙間Ｓ中に突出し、かつ、前部側がフランジ部１１ａの厚さ分だけ台座１０内にわずかに突出した状態で位置決めされている。そして、このソケット１１には、後端側に電源供給用のコードＥが接続されている。
　　　【００２４】
　なお、密閉パッキン１４は、台座１０の後面側に設けられた溝部と正面壁Ｗ１との間に嵌め込まれ、浴室Ｒ内の水蒸気等が建物の内壁面丁側へ漏れ込むのを防止している。
　　　【００２５】
　光源１２は、小径（例えば、発光部の直径３３ｍｍ程度）のミニクリプトン電球から構成されている。この光源１２は、口金部（図示せず）がソケット１１の前端部側凹部（図示せず）内にねじ込まれて、台座１０の基部１０Ａから、正面壁Ｗ１の前方側へ突出した状態で、このソケット１１に取り付けられている。そして、光源１２の発光部１２ａはグローブ１３内のほぼ中央に位置決めされている。
　　　【００２６】
　グローブ１３は、図１および図２で示されるように、光源１２周りを覆って、この光源１２による光を浴室Ｒ内に拡散照射するものであり、透光性材料（例えば合成樹脂材）を薄肉成形することにより形成されている。このグローブ１３は、筒状部１３ａの前端面側が大径の球面部１３ｂとなった円筒状の本体部１３Ａと、本体部１３Ａの後端面側に形成された小円筒状の接続部１３Ｂとから構成されており、接続部１３Ｂの外周面側に形成されたネジ部１３ｃを台座１０のねじ部１０ａにねじ込むことにより、台座１０に取り付けられている。この場合、接続部１３Ｂの端部が台座１０の内面側に取り付けられたグローブパッキン１５を加圧することにより、浴室Ｒ内の水蒸気等がグローブ１３内に侵入するのが防止されている。
　　　【００２７】
　また、グローブ１３には、本体部１３Ａの筒状部１３ａの内面側に、表面を鋸歯状に凹凸させた波形レンズ部１３ｄが形成されている。この波形レンズ部
１３ｄ
　　　【００２８】
　ここで、グローブ１３は、本体部１３Ａの球面部１３ｂが、光を充分に拡散させるために乳白色状に形成され、本体部１３Ａの筒状部１３ａが、光の透過度を上げるために透明に形成されている。ただし、筒状部１３ａを透過した拡散度の低い光が直接入浴者の目に入ってまぶしさを生じさせないように、筒状部１３ａには、下部１３ａ−１（図２参照）を除いて、表面にシボ処理（表面に小凹凸が生じる処理）が施されており、これによって、筒状部１３ａを透過した光がやや拡散されるようになっている。
　　　【００２９】
　反射板１７は、グローブ１３内に配置され、光源１２から発せられた光を反射して、この光りを衛生設備室である浴室Ｒ内に効率よく照射するものである。この反射板１７は、光源１２の後方に発せられた光をこの光源１２の前方に反射する第２の反射体である前方反射板部１７Ａと、光源１２の上方に発せられた光を、この光源１２の下方に反射する第１の反射体である下方反射板部１７Ｂとから構成されている。
　　　【００３０】
　前方反射板部１７Ａは、図１および図２で示されるように、グローブ１３の接続部１３Ｂの内面側とほぼ同サイズに形成された円盤状のものであり、段付きの取付孔１７ｃから差し込まれた取付ネジ１６を介して、基部１０Ａに取り付けられている。また、この前方反射板部１７Ａの光源１２側は、ほぼ放物面状に形成された鏡面１７ａとなっており、光源１２がほぼ焦点位置に置かれるように位置決めされている。
　　　【００３１】
　下方反射板部１７Ｂは、図１および図２で示されるように、前方反射板部１７Ａの上縁部側に、この前方反射板部１７Ａに直交するように形成された部分円筒状のものであり、グローブ１３内で、光源１２の上方を覆うように位置決めされている。この下方反射板部１７Ｂの光源１２側は、放物線（またはこれに近い曲線）を平行移動させたような鏡面１７ｂとなっており、光源１２がこの放物線のほぼ焦点位置に配置されるように、位置決めされている。
　　　【００３２】
　ここで、反射板１７の取付孔１７ｃは、図２で示されるように、湾曲した長孔となっており、この反射板１７は、台座１０に対して光源１２を中心に所定角度だけ回動可能となっている。したがって、反射板１７を回動させることにより、下方反射板部１７Ｂの位置（向き）は所定角度の範囲で自由に変えられる。
　　　【００３３】
　図４はこの照明装置１の配光曲線（ｃｄ／Ｋｌｍ）を示す図であり、（ａ）は照明装置１の側面側の配光曲線を示しており、　（ｂ）は照明装置１の正面側の配光曲線を示している。なお、図中鎖線は、反射板１７等を有さない従来の照明装置の配光曲線を示している。
　　　【００３４】
　図４の（ａ）から明らかなように、従来の照明装置では、この照明装置の前方側に向かって、前方および上下方向にほぼ等しい光度で、光が照射されるが、この照明装置１では、後方側に向かう光が反射板１７の前方反射板部１７Ａで前方に反射されて有効利用される分、前方側の光度が上昇している。また、上方側へ向く光が反射板１７の下方反射板部１７Ｂで下方に反射される分、下方側の光度が上昇し、上方側の光度が下降している。このことは、図４の（ｂ）においても明確に示されている。なお、図４の（ｂ）において、照明装置１の左右方向の光度が上昇しているのは、前方反射板部１７Ａの鏡面１７ａが正確に放物面状に形成されておらず、前方反射板部１７Ａによって、左右方向に反射される光も生じたためと考えられる。
　　　【００３５】
　つぎに、図５および図６を参照しつつ、この照明装置１の作用について説明する。
　図５で示されるように、光源１２からグローブ１３の球面部１３ｂ側に発せられた光Ｌ１は、この球面部１３ｂで拡散されて、この照明装置１の前方側に照射される。また、光源１２から反射板１７の前方反射板部１７Ａ側に発せられた光Ｌ２は、この前方反射板部１７Ａの鏡面１７ａでグローブ１３の球面部１３ｂ側に反射された後、光Ｌ１と同じく、この球面部１３ｂで拡散されて、この照明装置１の前方側に照射される。したがって、従来は基部１０Ａ側で熱となって吸収されていた光Ｌ２が、照明装置１の前方側に照射される分、浴室Ｒ内の照度は向上する。
　　　【００３６】
　一方、図５および図６で示されるように、光源１２からグローブ１３の筒状部１３ａの下部側に発せられた光Ｌ３は、この筒状部１３ａで拡散されて、この照明装置１の下方側に照射される。ただし、この場合、この光Ｌ３は、波形レンズ部１３ｄによって、正面壁Ｗ１から遠ざかるように、浴室Ｒの中央部側に照射される。また、光源１２から反射板１７の下方反射板部１７Ｂ側に発せられた光Ｌ４は、この下方反射板部１７Ｂの鏡面１７ｂでグローブ１３の筒状部１３ａの下部側に反射された後、この筒状部１３ａで拡散されて、光Ｌ３と同じ方向に進む。したがって、従来は照明装置１の上方側に照射されていた光Ｌ３の多くのものが、照明装置１の下方側に照射される分、浴室Ｒの下部側中央の照度が向上する。
　　　【００３７】
　また特に、グローブ１３の筒状部１３ａの下部１３ａ−１は、シボ処理が施されず、透明状態となっているため、光の透過量が多く、この照明装置１の直下側の照度は更に向上する。この場合、入浴者が筒状部１３ａの下部１３ａ−１側を直視することはないため、この筒状部１３ａの下部１３ａ−１側を透過した光によって、入浴者がまぶしさを感じることはない。
　　　【００３８】
　図７は浴室内の所定位置における照度を、この照明装置を使用した場合と、この照明装置と同じ位置に設置された従来の照明装置を使用した場合とで比較して示したものである。この場合、照明装置１は、図４中実線で示した配光曲線を有しており、従来の照明装置は、図４中鎖線で示した配光曲線を有しているものとする。
　　　【００３９】
　図７の（ａ）で示される、例えば、右側の照明装置１の中心より２０ｃｍ上方で、正面壁Ｗ１より１０ｃ　ｍ前方の位置イでは、図７の（ｂ）で示されるように、照明装置１の場合の照度（１０９５ルクス）は、従来の照明装置の場合の照度（２６６０ルクス）より低く抑えられている。位置イには入浴者がいず、ここをそれほど明るくする必要がないことから、この照明装置１では、位置イ側に向かって照射する光の一部を、下方反射板部１７Ｂを介して、入浴者のいる浴室Ｒの下部側に集光するようにしているからである。
　　　【００４０】
　また、図７の（ａ）で示される、例えば、左側の照明装置１の中心より１００ｃｍ下方で正面壁Ｗ１上の位置ロでは、図７の（ｂ）で示されるように、照明装置１の場合の照度（１９３ルクス）は、従来の照明装置の場合の照度（１１９ルクス）より大きくなっている。位置ロの近傍には、小物台Ｍや混合水栓Ｓ２があり、この近くには入浴者がいて、ここを明るくする必要があるため、この照明装置１では、前方反射板部１７Ａや下方反射板部１７Ｂ等を介して、この位置ロ側に光を集めているからである。
　　　【００４１】
　さらに、図７の（ａ）で示される、例えば、右側の照明装置１下方側の洗い場Ｃの床面より５５ｃｍ上方で、正面壁Ｗ１より３０ｃｍ前方の位置ハでは、図７の（ｂ）で示されるように、照明装置１の場合の照度（３４０ルクス）は、従来の照明装置の場合の照度（２５７ルクス）より大きくなっている。この位置ハにおいても、入浴者がいて入浴作業を行なうため、ここを明るくする必要があり、この照明装置１では、前方反射板部１７Ａや下方反射板部１７Ｂ等を介して、この位置ハ側に光を集めているからである。なお、図７の（ａ）で示される位置ニ，ホ，へについても、同様である。
　　　【００４２】
　以上のように、この照明装置１では、グローブ１３内において、従来充分に利用されなかった光源１２の後方側への光を、光源１２の前方側に反射して、利用するようにしているため、その分、光源１２の光度を上げることなく、浴室Ｒ内の照度アップを図ることができる。したがって、浴室Ｒ全体の照度が上昇し、入浴者は、浴室空間の広がりを感じつつ快適な気分で入浴ができるようになる。
　　　【００４３】
　また、この照明装置１では、従来光源の上方側に照射されていた光を、光源１２の下方側に照射するようにしたため、浴室Ｒの天井側を過剰に照らしていた光で、明るさの要求される浴室Ｒの下方側の、バスタブＢや洗い場Ｃ周りを照らすことができるようになり、浴室Ｒ内の効果的な照明ができるようになる。したがって、混合水栓Ｓ１，Ｓ２や小物台Ｍ周りの照度がアップする分、入浴や、化粧鏡Ｍ１を使用した髭剃り等が容易となる。この場合、この照明装置１では、相対的に空間下部の照度アップを行ない、空間上部と空間下部との照度差を小さくしているため、明るさに関して、空間の均一性を保つことができるようになり、落ち着いた感じの空間を演出できる。
　　　【００４４】
　なお、この照明装置１では天井Ｗ２側への光量は減少するが、天井Ｗ２と照明装置１との距離が小さく、かつ、浴室Ｒの壁面からの反射もあるため、浴室Ｒの天井Ｗ２側が他の部分より暗くなることはほとんどない。この場合、浴室Ｒの壁面を、反射率のよい白色系の色で仕上げることにより、天井Ｗ２側の照度をより向上させることができる。
　　　【００４５】
　さらに、この照明装置１では、光源１２の下方側に照射された光を、単に浴室Ｒの正面壁Ｗ１に沿って下向きに照射するのでなく、浴室Ｒの中央側に向くように照射しているため、より入浴者に近い側の照度を上げることができ、更に浴室Ｒ内の効果的な照明できるようになる。この場合、グローブ１３の筒状部１３ａの下部１３ａ−１を透明にしているため、特にこの照明装置１の直下には、拡散光でなく直接光が照射でき、浴室Ｒ内の照度が必要な部分の更なる照度アップを図ることができる。
　　　【００４６】
　また、この照明装置１では、反射板１７を光源を中心に回動可能とし、下方反射板部１７Ｂの位置（向き）を自由に変更できるため、照明装置１の直下のみでなく、例えば、照明装置１の右側の下方や左側の下方に光を集めることができ、必要箇所の照度アップが簡単にできるようになる。
　　　【００４７】
　さらに、この照明装置１では、光源１２として、一般の白熱電球より小径のミニクリプトン電球を使用しているため、光に方向性をつけやすく、上記効果をより強くだすことができるとともに、グローブ１３のデザインの自由度を増すことができる。さらに、この照明装置１では、ソケット１１を正面壁Ｗ１側に突出させ、グローブ１３内におけるソケット１１の突出をできるだけ抑えるようにしているため、グローブ１３の正面壁Ｗ１からの突出量が抑えられ、圧迫感が減少する分、狭い浴室Ｒ内の雰囲気の向上（落ち着いた雰囲気になる）を図ることができる。もちろん、照明装置１全体の正面壁Ｗ１からの突出量が減少することにより、この照明装置１の美観の向上も図られる。
　　　【００４８】
　なお、光源１２は、ミニクリプトン電球に限らず、一般の白熱電球や、壁材の色を美しく見せる演色性の高い昼光ランプであってもよい。
　　　【００４９】
　また、反射板１７は、前方反射板部１７Ａと下方反射板部１７Ｂとが分離されたものであってもよい。さらに、前方反射板部１７Ａや下方反射板部１７Ｂの鏡面１７ａ、１７ｂの形状は、それぞれ光を、主として前方または下方等に反射できるものであれば、平面、球面、または円筒面等のいずれのものであってもよい。
　　　【００５０】
　　【発明の効果】
　この発明は、以上のように構成されているので、以下に記載されるような効果を奏する。
　　　【００５１】
　この発明の請求項１記載の発明によれば、まぶしさを生じさせることなく、グローブ下方に光を充分に照射でき、明るくしたい浴室の下部側を適切に照明できる。
　　　【００５２】
　この発明の請求項２及び３記載の発明によれば、浴室の床側においても、より入浴者に近い側の照度アップを図ることができ、浴室内において適切な照明ができる。
　　　【００５３】
　この発明の請求項４及び５記載の発明によれば、光源の光度等を大きくしなくても、浴室内のより入浴者に近い側の照度アップを図ることができ、浴室内において適切な照明ができる。
　　　【００５４】
　　　【００５５】
　　　【００５６】
【図面の簡単な説明】
　　【図１】
　図１はこの発明の一実施例に係る照明装置の側断面図である。
　　【図２】
　図２は図１のＡーＡ矢視断面図である。
　　【図３】
　図３は図１で示されるグローブの波形レンズ部の作用説明図である。
　　【図４】
　図４は図１で示される照明装置の配光曲線を示す図であり、（ａ）は正面側の配光曲線を示しており、（ｂ）は側面側の配光曲線を示している。
　　【図５】
　図５は図１で示される照明装置の側面側の作用説明図である。
　　【図６】
　図６は図１で示される照明装置の正面側の作用説明図である。
　　【図７】
　図７は図１で示される照明装置が取り付けられた浴室内の所定位置の照度を示す図であり、（ａ）は照度の測定場所を示す図であり、（ｂ）は測定場所に対応した照度の測定値を示す図である。
　　【図８】
　図８は図１で示される照明装置が取り付けられた浴室内の外観斜視図である。
　　【符号の説明】
　　１　　照明装置
　１２　　光源
　１３　　グローブ
　１３ａ　側部
　１３ａ−１　下部
　１３ｄ　波形レンズ部（局所屈折部、全周屈折部）
　１７Ａ　前方反射板部（第２の反射体）
　１７Ｂ　下方反射板部（第１の反射体）
　　Ｒ　　浴室（衛生設備室）
　　Ｗ１　正面壁（壁面）